(57)【要約】【課題】  微量の血液を正確かつ容易に採取できるとともに、気泡が混入しにくい、比較的安価な血液定量採取キットを提供する。【解決手段】  平板状のベース部とキャピラリー部とを有し、それぞれ分離可能な血液定量採取キットであって、ベース部の上面には、所定容積のくぼみである血液溜まり部が形成され、圧縮可能なキャップ部であって、空気孔を有するキャップ部と毛細直管部とが接合されてキャピラリー部が構成され、キャピラリー部の毛細直管部の端部が血管溜まり部の底部近くに位置している血液定量採取キットである。【選択図】      図１
2005218677.tif 000002
【特許請求の範囲】
【請求項１】
平板状のベース部とキャピラリー部とを有し、それぞれ分離可能な血液定量採取キットであって、
ベース部の上面には、所定容積のくぼみである血液溜まり部が形成され、
圧縮可能なキャップ部であって、空気孔を有するキャップ部と毛細直管部とが接合されてキャピラリー部が構成され、
キャピラリー部の毛細直管部の端部が血管溜まり部の底部近くに位置している、
血液定量採取キット。
【請求項２】
血液採取中には剥離可能なシールまたは取り外し可能な蓋によって空気孔が塞がれており、血液採取後には、シールが剥離され、あるいは、蓋が取り外され、空気孔が開放されて、血液溜まりに一時貯えられている血液がキャピラリーの中へ収容されることを特徴とする請求項１に記載の血液定量採取キット。
【請求項３】
血液溜まり部の容積が５０μl、８０μlあるいは１００μlであることを特徴とする請求項１または２に記載の血液定量採取キット。
【請求項４】
ベース部が透明であることを特徴とする請求項１から３までのいずれか１つに記載の血液定量採取キット。
【請求項５】
キャピラリー部が透明であることを特徴とする請求項１から３までのいずれか１つに記載の血液定量採取キット。
【発明の詳細な説明】
【技術分野】
【０００１】
本発明は血液定量採取キットに関する。
【背景技術】
【０００２】
従来の血液採取ピペットは細管と可撓性キャップが連結してなる。細管の端から異なる距離の２ヶ所に目印が付してある。従来の血液採取ピペットを手で持って、細管の端を血液の中に浸漬する。すると、毛細管現象によって血液が徐々に細管の中に入ってゆく。そして、時間が経過し、２つの目印の間まで血液が到達した時に、細管の端を血液の外へと移して、血液の採取を終了する。その後に、可撓性キャップを押して、細管の中に溜まっている血液を吐出させる。
【発明の開示】
【発明が解決しようとする課題】
【０００３】
採血対象者は針などによって指先等に傷を付けて、その傷から出てきた血液に従来の血液採取ピペットの細管の端を浸漬して、血液を採取する。しかし、採血対象者によっては時間あたりの出血量が少ない場合があり、その場合には、血液の中へ細管の端を浸漬するのが困難であり、所定量を採取するまでに時間がかかる。あるいは、所定量まで至らずに採取した血液を途中で吐出してしまい、指などを吐出した血液で汚してしまうという問題がある。
【０００４】
また、採取の途中で空気が混入してしまい採取量が不足し、その後の正確な血液検査等ができないという問題が生じやすい。そのため、吐出と採取とも何度も繰り返さなければならず問題である。
【０００５】
そこで、本発明の目的は、微量の血液を正確かつ容易に採取できるとともに、気泡が混入しにくい、比較的安価な血液定量採取キットを提供することである。
【０００６】
上記目的は、請求項１に記載の本発明に係る血液定量採取キット、すなわち、平板状のベース部とキャピラリー部とを有し、それぞれ分離可能な血液定量採取キットであって、ベース部の上面には、所定容積のくぼみである血液溜まり部が形成され、圧縮可能なキャップ部であって、空気孔を有するキャップ部と毛細直管部とが接合されてキャピラリー部が構成され、キャピラリー部の毛細直管部の端部が血管溜まり部の底部近くに位置している血液定量採取キットによって、達成される。
【０００７】
本発明の好ましい実施態様においては、請求項２に記載のように、血液採取中には剥離可能なシールまたは取り外し可能な蓋によって空気孔が塞がれており、血液採取後には、シールが剥離され、あるいは、蓋が取り外され、空気孔が開放されて、血液溜まりに一時貯えられている血液がキャピラリーの中へ収容される。
【０００８】
また、本発明の他の好ましい実施態様においては請求項３に記載のように、血液溜まり部の容積が５０μl、８０μlあるいは１００μlである。
【０００９】
本発明のさらに他の好ましい実施態様においては、請求項４に記載のように、ベース部が透明である。
【００１０】
本発明の別の好ましい実施態様においては、請求項５に記載のように、キャピラリー部が透明である。
【発明の効果】
【００１１】
本発明に係る血液定量採取キットは、平板状のベース部とキャピラリー部とを有し、それぞれ分離可能な血液定量採取キットであって、ベース部の上面には、所定容積のくぼみである血液溜まり部が形成され、圧縮可能なキャップ部であって、空気孔を有するキャップ部と毛細直管部とが接合されてキャピラリー部が構成され、キャピラリー部の毛細直管部の端部が血管溜まり部の底部近くに位置しているので、空気孔を塞いだ状態で、血液溜まり部の中へ血液を注入し、所定量が溜まった時に注入を停止し、その後に空気孔を開放すると血液溜まり部に溜まっている所定量の血液が毛細管現象で毛細直管部の中へ移動する。よって、両手を自由に使える状態で正確な量の血液を容易に採取することができるという効果が得られる。
【００１２】
また、血液溜まり部の低部近くに毛細直管部の端部が位置しているので、採取した血液の中に空気が混入しにくいという効果が得られる。
【発明を実施するための最良の形態】
【００１３】
以下、本発明の血液定量採取キットの実施形態について、添付図面を参照して、詳細に説明する。
【００１４】
図１は本発明の血液定量採取キットの斜視図であり、図２は本発明の血液定量採取キットの使用方法を示す説明図である。
【００１５】
ベース部１はほぼ平板状であり、上面１ａから所定容積、例えば５０μlのくぼみが形成され、血液溜まり部１ｂとなっている。ベース部１の１つの側面１ｃから直管孔１ｄが血液溜まり部１ｂの低部近くまで穿ってある。ベース部１は透明であるのが好ましいが、材質は問わない。
【００１６】
キャピラリー部３は毛細直管部３ａとキャップ部３ｂとが接合されてなる。キャップ部３ｂは圧縮可能であり、空気孔３ｄが形成されている。空気孔３ａにはシール３ｅが剥離可能に貼り付けられている。キャピラリー部３は透明であるのが好ましい。
【００１７】
図２（１）は、初めの状態を図示したものであり、キャピラリー部３の毛細直管部３ａは、ベース部１の直管孔１ｄの中へ挿入されており、毛細直管部３ａの端３ｆはベース部１の血管溜まり部１ｂの低部近くに位置している。次に、血液を血液溜まり部１ｂの上方から注入する。
【００１８】
図２（２）は、血液を注入して血液溜まり部に一杯に溜まった状態を図示したものである。この状態で血液溜まり部に収納された血液量は５０μlである。
【００１９】
次に、シール３ｅは剥す。すると、空気孔３ｄから空気が外へ逃げることができるようになるとともに、毛細管現象によって、毛細直管部３ａの中へ血液溜まり部に溜まっている血液が流れ込み、キャピラリー部３の内部に所定量の血液が採取される。
【００２０】
その後に、図示していないが、キャピラリー部３をベース部１から引き抜き取り外す。そして空気孔３ｄを塞ぎつつキャップ部を押して内部に採取された血液を試験容器等の中へ移す。
【００２１】
血液溜まり部１ｂの壁面、毛細直管部３ａの内面、キャップ部３ｂの内面にはシリコーンとテフロン（登録商標）がコーティングされており、その上にヘパリンなどの抗凝血剤が塗布されているのが好ましい。                          
【図面の簡単な説明】
【００２２】
【図１】本発明の血液定量採取キットの斜視図である。
【図２】本発明の血液定量採取キットの使用方法を示す説明図である。
【符号の説明】
【００２３】
１      ベース部
１ａ    上面
１ｂ    血液溜まり部
１ｃ    側面
１ｄ    直管孔
３      キャピラリー部
３ａ    毛細直管部
３ｂ    キャップ部
３ｄ    空気孔
３ｅ    シール
３ｆ    端
【図１】
2005218677.tif 000003
【図２】
2005218677.tif 000004